(57)【特許請求の範囲】
【請求項１】
電力負荷と、前記電力負荷に電力を供給する分散型電源と、前記電力負荷及び前記分散型電源に接続される蓄電池と、を有する需要家における前記蓄電池の充放電を制御する充放電制御装置であって、
前記分散型電源の発電量が前記電力負荷の消費電力量よりも多いか否かを判定する第１判定装置と、
前記発電量が前記消費電力量よりも多いと前記第１判定装置が判定した場合、前記蓄電池の制御に基づく前記需要家の経済的利益が発生するように、前記蓄電池の充放電を制御する第１制御装置と、
を備え、
前記蓄電池の制御は、制御計画により予め計画されており、
前記第１制御装置は、
前記蓄電池を放電することが前記制御計画によって計画されているときに、前記発電量に対する前記消費電力量の差分に応じて発生する余剰電力の売電価格が前記需要家に供給される供給電力の買電価格よりも高いか否かを判定する第２判定装置と、
前記売電価格が前記買電価格よりも高いと前記第２判定装置が判定した場合、前記制御計画に関わらず前記蓄電池が充放電されないように制御する第２制御装置と、
前記売電価格が前記買電価格よりも低いと前記第２判定装置が判定した場合、前記売電価格が前記蓄電池を充電するために累積した前記買電価格に応じた累積価格よりも高いか否かを判定する第３判定装置と、
前記売電価格が前記累積価格よりも高いと前記第３判定装置が判定した場合、前記制御計画に関わらず前記蓄電池が充放電されないように制御する第３制御装置と、を有する
ことを特徴とする充放電制御装置。
【請求項２】
前記第１制御装置は、
前記蓄電池を充電することが前記制御計画によって計画されているときに、前記需要家に供給される供給電力の買電価格が前記発電量に対する前記消費電力量の差分に応じて発生する余剰電力の売電価格よりも高いか否かを判定する第４判定装置と、
前記買電価格が前記売電価格よりも高いと前記第４判定装置が判定した場合、前記制御計画に基づいて前記蓄電池が充電されるように制御する第４制御装置と、を更に有する
ことを特徴とする請求項１に記載の充放電制御装置。
【請求項３】
前記第１制御装置は、
前記買電価格が前記売電価格よりも低いと前記第４判定装置が判定した場合、前記売電価格が前記蓄電池を充電するために累積した前記買電価格に応じた累積価格よりも高いか否かを判定する第５判定装置と、
前記売電価格が前記累積価格よりも低いと前記第５判定装置が判定した場合、前記制御計画に基づいて前記蓄電池が充電されるように制御する第５制御装置と、を更に有する
ことを特徴とする請求項２に記載の充放電制御装置。
【請求項４】
電力負荷と、前記電力負荷に電力を供給する分散型電源と、前記電力負荷及び前記分散型電源に接続される蓄電池と、を有する需要家における前記蓄電池の充放電を制御する充放電制御装置であって、
前記分散型電源の発電量が前記電力負荷の消費電力量よりも多いか否かを判定する第１判定装置と、
前記発電量が前記消費電力量よりも多いと前記第１判定装置が判定した場合、前記蓄電池の制御に基づく前記需要家の経済的利益が発生するように、前記蓄電池の充放電を制御する第１制御装置と、
を備え、
前記蓄電池の制御は、制御計画により予め計画されており、
前記第１制御装置は、
前記蓄電池を放電することが前記制御計画によって計画されているときに、前記蓄電池が充電されることに基づく前記需要家の経済的利益が発生するか否かを判定する第２判定装置と、
前記需要家の経済的利益が発生すると前記第２判定装置が判定した場合、前記制御計画に関わらず前記蓄電池が充電されるように制御する第２制御装置と、
前記需要家の経済的利益が発生しないと前記第２判定装置が判定した場合、前記制御計画に関わらず前記蓄電池が充放電されないように制御する第３制御装置と、を有し、
前記第２判定装置は、前記発電量に対する前記消費電力量の差分に応じて発生する余剰電力の売電価格に応じた価格が前記蓄電池を充電するために累積した前記需要家に供給される供給電力の買電価格に応じた累積価格よりも低い場合、前記需要家の経済的利益が発生すると判定し、前記売電価格に応じた価格が前記累積価格よりも高い場合、前記需要家の経済的利益が発生しないと判定する
ことを特徴とする充放電制御装置。
【請求項５】
前記第１制御装置は、
前記蓄電池を充電することが前記制御計画によって計画されているときに、前記蓄電池が充放電されないことに基づく前記需要家の経済的利益が発生するか否かを判定する第３判定装置と、
前記需要家の経済的利益が発生すると前記第３判定装置が判定した場合、前記制御計画に関わらず前記蓄電池が充放電されないように制御する第４制御装置と、
前記需要家の経済的利益が発生しないと前記第３判定装置が判定した場合、前記制御計画に基づいて前記蓄電池が充電されるように制御する第５制御装置と、を有する
ことを特徴とする請求項４に記載の充放電制御装置。
【請求項６】
前記第３判定装置は、前記発電量に対する前記消費電力量の差分に応じて発生する余剰電力の売電価格が前記蓄電池を充電するために前記需要家に供給される供給電力の買電価格が累積した累積価格に応じた価格よりも高い場合、前記需要家の経済的利益が発生すると判定し、前記売電価格が前記累積価格に応じた価格よりも低い場合、前記需要家の経済的利益が発生しないと判定する
ことを特徴とする請求項５に記載の充放電制御装置。
【請求項７】
電力負荷と、前記電力負荷に電力を供給する分散型電源と、前記電力負荷及び前記分散型電源に接続される蓄電池と、を有する需要家における前記蓄電池の充放電を制御する充放電制御装置に対して、
前記分散型電源の発電量が前記電力負荷の消費電力量よりも多いか否かを判定する第１機能と、
前記発電量が前記消費電力量よりも多いと前記第１機能が判定した場合、前記蓄電池の制御に基づく前記需要家の経済的利益が発生するように、前記蓄電池の充放電を制御する第２機能と、を実現させ、
前記蓄電池の制御は、制御計画により予め計画されており、
前記第２機能は、
前記蓄電池を放電することが前記制御計画によって計画されているときに、前記発電量に対する前記消費電力量の差分に応じて発生する余剰電力の売電価格が前記需要家に供給される供給電力の買電価格よりも高いか否かを判定する第３機能と、
前記売電価格が前記買電価格よりも高いと前記第３機能が判定した場合、前記制御計画に関わらず前記蓄電池が充放電されないように制御する第４機能と、
前記売電価格が前記買電価格よりも低いと前記第３機能が判定した場合、前記売電価格が前記蓄電池を充電するために累積した前記買電価格に応じた累積価格よりも高いか否かを判定する第５機能と、
前記売電価格が前記累積価格よりも高いと前記第５機能が判定した場合、前記制御計画に関わらず前記蓄電池が充放電されないように制御する第６機能と、
を含むことを特徴とするプログラム。
【発明の詳細な説明】
【技術分野】
【０００１】
本発明は、充放電制御装置、プログラムに関する。
【背景技術】
【０００２】
例えば、蓄電池の充放電を制御するための充放電装置が知られている（例えば特許文献１）。
【先行技術文献】
【特許文献】
【０００３】
【特許文献１】特開２０１１−２４４６８２号公報
【発明の概要】
【発明が解決しようとする課題】
【０００４】
例えば、特許文献１の充放電装置は、電力の売買価格と基準価格との比較結果に基づいて蓄電池の充放電を制御している。この充放電装置による充放電の制御では、充放電装置を有する需要家の経済的利益が考慮されていない。このために、この充放電装置を用いて蓄電池を充放電したときに、蓄電池の充放電による経済的利益が発生しないことがある。
【課題を解決するための手段】
【０００５】
前述した課題を解決する主たる本発明は、電力負荷と、前記電力負荷に電力を供給する分散型電源と、前記電力負荷及び前記分散型電源に接続される蓄電池と、を有する需要家における前記蓄電池の充放電を制御する充放電制御装置であって、前記分散型電源の発電量が前記電力負荷の消費電力量よりも多いか否かを判定する第１判定装置と、前記発電量が前記消費電力量よりも多いと前記第１判定装置が判定した場合、前記蓄電池の制御に基づく前記需要家の経済的利益が発生するように、前記蓄電池の充放電を制御する第１制御装置と、を備え、前記蓄電池の制御は、制御計画により予め計画されており、前記第１制御装置は、前記蓄電池を放電することが前記制御計画によって計画されているときに、前記発電量に対する前記消費電力量の差分に応じて発生する余剰電力の売電価格が前記需要家に供給される供給電力の買電価格よりも高いか否かを判定する第２判定装置と、前記売電価格が前記買電価格よりも高いと前記第２判定装置が判定した場合、前記制御計画に関わらず前記蓄電池が充放電されないように制御する第２制御装置と、前記売電価格が前記買電価格よりも低いと前記第２判定装置が判定した場合、前記売電価格が前記蓄電池を充電するために累積した前記買電価格に応じた累積価格よりも高いか否かを判定する第３判定装置と、前記売電価格が前記累積価格よりも高いと前記第３判定装置が判定した場合、前記制御計画に関わらず前記蓄電池が充放電されないように制御する第３制御装置と、を有する。
【０００６】
本発明の他の特徴については、添付図面及び本明細書の記載により明らかとなる。
【発明の効果】
【０００７】
本発明によれば、需要家の経済的利益が発生するように、蓄電池の充放電を制御することができる。
【図面の簡単な説明】
【０００８】
【図１】本発明の第１実施形態における配電系統を示す図である。
【図２】本発明の第１実施形態における充放電制御装置のハードを示すブロック図である。
【図３】本発明の第１及び第２実施形態における充放電制御装置を示すブロック図である。
【図４】本発明の第１実施形態における第１価格情報を示すグラフである。
【図５】本発明の第１実施形態における第１価格情報を示す図である。
【図６】本発明の第１実施形態における第２価格情報を示す図である。
【図７】本発明の第１実施形態における制御計画を示す図である。
【図８】本発明の第１実施形態における計画部の動作を示すフローチャートである。
【図９】本発明の第１実施形態における蓄電池に入出力される電力のイメージを示す図である。
【図１０】本発明の第１実施形態における需要家の状態と蓄電池の制御等を示す図である。
【図１１】本発明の第１実施形態における充放電制御装置の動作を示すフローチャートである。
【図１２】本発明の第２実施形態における第４価格情報を示すグラフである。
【図１３】本発明の第２実施形態における充放電制御装置の動作を示すフローチャートである。
【発明を実施するための形態】
【０００９】
本明細書および添付図面の記載により、少なくとも以下の事項が明らかとなる。
【００１０】
[第１実施形態]
＝＝＝配電系統＝＝＝
以下、図１を参照して、本実施形態における配電系統について説明する。図１は、本実施形態における配電系統を示す図である。
【００１１】
配電系統１００は、需要家１０に対しての電力を供給するための電力系統である。配電系統１００は、配電用変圧器１０１、配電線Ｌ１、需要家１０を有する。
【００１２】
配電用変圧器１０１の一次側には、発電機（不図示）から電力が供給される。配電用変圧器１０１の二次側には、配電線Ｌ１の一端が接続される。配電線Ｌ１は、配電用変圧器１０１の二次側に接続されている一端を上流側として、下流側に向かって延びている。
【００１３】
需要家１０は、配電線Ｌ１から電力が供給されたり、配電線Ｌ１に対して電力を供給したりする例えば一般家庭等である。需要家１０は、計測装置Ｍ１、充放電装置１１、蓄電池１２、負荷Ｒ１、充放電制御装置３、分散型電源Ｇ１を有する。尚、需要家１０には、負荷Ｒ１及び分散型電源Ｇ１が複数個ずつ設けられていることとしてもよい。
【００１４】
負荷Ｒ１は、負荷Ｒ１の消費電力量に基づく電力Ｗ１が供給される電力負荷である。
【００１５】
計測装置Ｍ１は、配電線Ｌ１から需要家１０に対して供給される供給電力を計測したり、需要家１０から配電線Ｌ１に対して供給される電力を計測したりする、例えばスマートメータである。計測装置Ｍ１は、負荷Ｒ１の消費電力量及び分散型電源Ｇ１の発電量を計測する。計測装置Ｍ１は、これらの各計測結果を示す計測情報を出力する。計測装置Ｍ１は、更に、例えば電気事業者等（不図示）からの第１価格情報Ｔ１を受信し、当該第１価格情報Ｔ１を出力する。尚、第１価格情報Ｔ１の詳細については、後述する。
【００１６】
分散型電源Ｇ１は、発電量に基づく電力Ｗ２を出力し、負荷Ｒ１等に電力を供給する例えば太陽光発電装置である。
【００１７】
蓄電池１２は、分散型電源Ｇ１及び負荷Ｒ１に接続されており、充放電される。
【００１８】
充放電装置１１は、充放電制御装置３によって制御され、蓄電池１２を充放電したり充放電を停止したりするための装置である。
【００１９】
充放電制御装置３は、蓄電池１２の充放電の制御計画Ｔ３を作成したり、充放電装置１１を制御したりする。
【００２０】
＝＝＝充放電制御装置＝＝＝
以下、図２及び図３を参照して、本実施形態における配電系統について説明する。図２は、本実施形態における充放電制御装置のハードを示すブロック図である。図３は、本実施形態における充放電制御装置を示すブロック図である。
【００２１】
充放電制御装置３は、ＣＰＵ（Central Processing Unit）３１、通信装置３２、記憶装置３３、表示装置３４、入力装置３５を有する。ＣＰＵ３１は、記憶装置３３に記憶されているプログラムを実行することにより充放電制御装置３の各種機能を実現し、充放電制御装置３を統括制御する。記憶装置３３には、前述のプログラム、各種情報が記憶されている。表示装置３４は、充放電制御装置３の情報を表示するディスプレイである。入力装置３５は、充放電制御装置３に対して情報を入力するための例えばキーボード、マウス等である。通信装置３２は、通信ネットワーク３００を介して計測装置Ｍ１及び充放電装置１１との間で通信を行う。通信部３２は、計測装置Ｍ１から計測情報及び第１価格情報Ｔ１を受信する。
【００２２】
充放電制御装置３は、更に、計画部３６、余剰判定部３７（第１判定装置）、経済性判定部３８（第２判定装置、第３判定装置）、累積単価演算部３９、制御部４０（「充放電制御装置３の各種機能」とも称する）を有する。尚、充放電制御装置３の各種機能は、記憶装置３３に記憶されているプログラムのＣＰＵ３１による実行により実現される。
【００２３】
計画部３６は、第１価格情報Ｔ１に基づいて蓄電池１２の制御計画Ｔ３を作成する。
【００２４】
余剰判定部３７は、需要家１０で発生するＰＶ余剰電力についての判定を行う。ＰＶ余剰電力は、電力Ｗ２についての需要家１０での余剰を示しており、電力Ｗ２の値が電力Ｗ１の値を上回った際に発生する。ＰＶ余剰電力は、例えば、需要家１０から配電線Ｌ１に供給されて、需要家１０から電気事業者に対して売却される。又、ＰＶ余剰電力は、例えば、蓄電池１２に供給されて蓄電池１２が充電される。
【００２５】
経済性判定部３８は、蓄電池１２の充放電を制御することに基づく経済的メリットについての判定を行う。累積単価演算部３９は、充電累積単価Ｘ（累積価格）を算出する。制御部４０（第２制御装置）は、充放電装置１１を制御することにより、蓄電池１２の充放電を制御する。尚、経済性判定部３８及び制御部４０が第１制御装置に相当する。
【００２６】
＝＝＝第１価格情報＝＝＝
以下、図４及び図５を参照して、本実施形態における第１価格情報について説明する。図４は、本実施形態における第１価格情報を示すグラフである。図５は、本実施形態における第１価格情報を示す図である。
【００２７】
第１価格情報Ｔ１は、各時間帯と電力価格の計画値とＰＶ買取価格の計画値とが対応付けられている。
【００２８】
電力価格は、リアルタイムプライシングに基づいて定められている。尚、リアルタイムプライシングとは、例えば、１日における１時間等の時間帯毎に電力価格が変動する電力料金制度を示している。
【００２９】
電力価格とは、配電線Ｌ１から需要家１０に供給される電力（「買電電力」とも称する）の価格（単価）と、蓄電池１２の放電により需要家１０から配電線Ｌ１に供給される電力（「売電電力」とも称する）の価格（単価）とを示している。尚、需要家１０から配電線Ｌ１に供給される電力には、売電電力と当該売電電力とは異なるＰＶ余剰電力とが含まれていることになる。第１価格情報Ｔ１においては、売電電力の価格と買電電力の価格とが同価格であるとされている。つまり、第１価格情報Ｔ１は、時間帯Ｂ１における売電電力の価格及び時間帯Ｂ１における買電電力の価格の双方が、Ａ１であること等を示している。
【００３０】
又、ＰＶ買取価格は、単価変動に基づいて定められている。ＰＶ買取価格とは、ＰＶ余剰電力を需要家１０が売却する際の当該ＰＶ余剰電力の売却単価を示している。ＰＶ買取価格は、例えば、１日における１時間等の時間帯毎に変動している。第１価格情報Ｔ１は、時間帯Ｂ１におけるＰＶ買取価格がＥ１であること等を示している。
【００３１】
又、第１価格情報Ｔ１は（図４）、時間帯Ｂ１乃至Ｂ１１の電力価格がＰＶ買取価格よりも高いこと、時間帯Ｂ１２乃至Ｂ１５の電力価格がＰＶ買取価格よりも低いこと、時間帯Ｂ１６乃至Ｂ２４の電力価格がＰＶ買取価格よりも高いことを示している。
【００３２】
＝＝＝計画部＝＝＝
以下、図５乃至図８を参照して、本実施形態における計画部について説明する。図６は、本実施形態における第２価格情報を示す図である。図７は、本実施形態における制御計画を示す図である。尚、図７においては、時間帯Ｂ１乃至Ｂ２４のうちの時間帯Ｂ２、Ｂ７、Ｂ９、Ｂ１０、Ｂ１２、Ｂ１５以外の時間帯においても、充電、放電、停止のうちの何れかの制御が設定されているが、説明の便宜上、記載が省略されている。又、図７における充電は蓄電池１２を充電させることを示しており、放電は蓄電池１２を放電させることを示しており、停止は蓄電池１２の充放電を行わせないことを示している。図８は、本実施形態における計画部の動作を示すフローチャートである。
【００３３】
＜概要＞
計画部３６は、第１価格情報Ｔ１を並べ替えて第２価格情報Ｔ２を作成した後、第２価格情報Ｔ２における一対の時間帯を選択し、選択された一対の時間帯における制御を設定する。計画部３６は、第１価格情報Ｔ１における例えば２４時間分の全ての時間帯に対して制御を設定する。計画部３６は、これらの制御の設定が反映された制御計画Ｔ３を作成する。
【００３４】
＜詳細＞
計画部３６は、第１価格情報Ｔ１を取得する（ステップＳ１１）。計画部３６は、第１価格情報Ｔ１について、電力価格が安い順に、時間帯と当該時間帯に対応する電力価格との組合せを並び替えて、第２価格情報Ｔ２を作成する（ステップＳ１２）。尚、図６においては、Ａ１乃至Ａ２４のうちの最安値Ａ１０を示す組み合わせが最上段に示されており、最高値Ａ６を示す組み合わせが最下段に示されている。
【００３５】
計画部３６は、変数Ｋの値を１とする（ステップＳ１３）。尚、変数Ｋは、第２価格情報Ｔ２から一対の電力価格を選択するのに用いられる。変数Ｋの値が１の場合、電力価格Ａ１０、Ａ６が計画部３６によって選択される。又、変数Ｋの値が２の場合、電力価格Ａ１１、Ａ７が選択される。
【００３６】
計画部３６は、選択された一対の電力価格Ａ１０、Ａ６に基づいて、充放電価格比率を算出する。具体的には、計画部３６は、一対の電力価格のうちの価格が安い方の電力価格Ａ１０を被除数とし、価格が高い方の電力価格Ａ６を除数とする除算の結果を、変数Ｋの値が１のときの充放電価格比率とする。
【００３７】
尚、ステップＳ１４におけるＣｋ、Ｃ２４−（ｋ−１）は、第２価格情報Ｔ２における電力価格に対応している。Ｃｋ、Ｃ２４−（ｋ−１）のｋは、変数Ｋに対応している。例えば、変数Ｋの値が１の場合、ステップＳ１４におけるＣｋはＣ1となり、Ｃ２４−（ｋ−１）はＣ24となる。このとき、Ｃの添え字は、第２価格情報Ｔ２における電力価格が低い順序を示している。従って、Ｃ1、Ｃ24は夫々、第２価格情報Ｔ２におけるＡ１０、Ａ６を示すことになる。つまり、例えば、変数Ｋの値が１の場合、ＣｋはＡ１０を示し、Ｃ２４−（ｋ−１）はＡ６を示すことになる。又、例えば、変数Ｋの値が２の場合、ＣｋはＡ１１を示し、Ｃ２４−（ｋ−１）はＡ７を示すことになる。
【００３８】
計画部３６は、充放電価格比率が蓄電システムの充放電効率（「充放電効率」とも称する）よりも小さいか否かを判断（判定）する（ステップＳ１４）。
【００３９】
充放電効率とは、蓄電池１２に対して電力を充電するときの充電効率ｐと、蓄電池１２に充電されている電力を放電するときの放電効率ｑとの積である。例えば、充電効率ｐが０．９であるということは、蓄電池１２に対して１（ｋＷｈ）の電力を供給した場合、１（ｋＷｈ）の０．９倍に相当する０．９（ｋＷｈ）に対応する電力が充電されることを示している。又、例えば、放電効率ｑが０．９であることは、蓄電池１２に対して１（ｋＷｈ）に対応する電力が充電されているときに、蓄電池１２に充電されている電力を全て放電した場合、１（ｋＷｈ）の０．９倍に相当する０．９（ｋＷｈ）の電力が蓄電池１２から出力されることを示している。
【００４０】
ステップＳ１４において、例えば、充放電価格比率が充放電効率よりも小さいと判断（判定）した場合（ステップＳ１４のＹＥＳ）、計画部３６は、需要家１０の経済的メリットがあるものとして、選択された一対の電力価格に対応する時間帯に対して充電及び放電を設定する。具体的には、計画部３６は、一対の電力価格のうちの価格が安い方の電力価格としてのＡ１０に対応する時間帯Ｂ１０を充電制御に設定し、価格が高い方の電力価格としてのＡ６に対応する時間帯Ｂ６を放電制御に設定する（ステップＳ１５）。このとき、計画部３６は、制御計画Ｔ３に対して設定結果を反映させる。
【００４１】
一方、ステップＳ１４において、例えば、充放電価格比率が充放電効率よりも小さくないと判断（判定）した場合（ステップＳ１４のＮＯ）、計画部３６は、需要家１０の経済的メリットがないものとして、選択された一対の電力価格に対応する時間帯の双方を停止に設定する（ステップＳ１７）。このとき、計画部３６は、制御計画Ｔ３に対して設定結果を反映させる。
【００４２】
計画部３６は、変数Ｋの値が１２であるか否かについて判断する（ステップＳ１６）。例えば、変数Ｋの値が１２でないと判断した場合（ステップＳ１６のＮＯ）、計画部３６は、第２価格情報Ｔ２において未だ全ての時間帯に対して制御が設定されていないものとして、変数Ｋの値に対して１を加算（ステップＳ１８）した後、ステップＳ１４の判断を再度行う。一方、例えば、変数Ｋの値が１２であると判断した場合（ステップＳ１６のＹＥＳ）、計画部３６は、第２価格情報Ｔ２において全ての時間帯に対して制御が設定されているものとして動作を終了する。
【００４３】
＝＝＝余剰判定部＝＝＝
以下、図１を参照して、本実施形態における余剰判定部について説明する。
【００４４】
余剰判定部３７は、通信装置３２が受信した計測情報に基づいて、分散型電源Ｇ１の発電量が負荷Ｒ１の消費電力量よりも多いか否かを判定する。
【００４５】
発電量が消費電力量よりも多いと余剰判定部３７が判定した場合、ＰＶ余剰電力が発生することになるので、当該ＰＶ余剰電力を用いて需要家１０の経済的メリット（経済的利益）が発生するように蓄電池１２の充放電を制御するのが好ましい。例えば、この場合、充放電制御装置３は、需要家１０においてダブル発電が行われないように制御したり、需要家１０によって売却されるＰＶ余剰電力の電力量が増大するように制御したり、充電累積単価Ｘが低下するように制御したりする。尚、発電量が消費電力量よりも少ないと余剰判定部３７が判定した場合、ＰＶ余剰電力が発生しないことになる。
【００４６】
＝＝＝累積単価演算部＝＝＝
以下、図９を参照して、本実施形態における累積単価演算部について説明する。図９は、本実施形態における蓄電池に入出力される電力のイメージを示す図である。
【００４７】
累積単価演算部３９は、放電可能電力量Ｓを算出したり、充電累積単価Ｘを算出したりする。
【００４８】
放電可能電力量Ｓは、蓄電池１２の残蓄電量Ｗｂに基づいて放電することができる電力量の最大値に対応している。残蓄電量Ｗｂは、蓄電池１２の充電容量Ｗｃにおける現時点で充電されている充電量に対応している。累積単価演算部３９は、蓄電池１２に供給される電力量を示す充電電力量Ｗｔに基づいて放電可能電力量Ｓを算出したり、残蓄電量Ｗｂに基づいて放電可能電力量Ｓを算出したりする。具体的には、累積演算部３９は、式（１）、式（２）を用いて放電可能電力量Ｓを算出する。
【００４９】
［数１］
放電可能電力量Ｓ＝残蓄電量Ｗｂ＊放電効率ｑ・・・（１）
放電可能電力量Ｓ＝充電電力量Ｗｔの合計＊充電効率ｐ＊放電効率ｑ・・・（２）
【００５０】
充電累積単価Ｘは、蓄電池１２を充電するために累積した買電電力の価格に応じて定まる価格である。累積単価演算部３９は、式（３）を用いて充電累積単価Ｘを算出する。
【００５１】
［数２］
充電累積単価Ｘｂ＝（放電可能電力量Ｓａ＊充電累積単価Ｘａ＋電力価格Ａｔ＊充電電力量Ｗｔ＊充電効率ｐ＊放電効率ｑ）／放電可能電力量Ｓｂ・・・（３）
【００５２】
尚、充電累積単価Ｘａ、Ｘｂは夫々、時間Ａにおける充電累積単価Ｘ、時間Ａよりも後の時間Ｂにおける充電累積単価Ｘを示している。放電可能電力量Ｓａ、Ｓｂは夫々、時間Ａにおける放電可能電力量Ｓ、時間Ｂにおける放電可能電力量Ｓを示している。電力価格Ａｔは、時間Ａから時間Ｂまでの時間帯における電力価格を示している。充電電力量Ｗｔは、時間Ａから時間Ｂまでの時間帯における充電電力量を示している。
【００５３】
＝＝＝経済性判定部、制御部＝＝＝
以下、図７及び図１０を参照して、本実施形態における経済性判定部及び判定部について説明する。図１０は、本実施形態における需要家の状態と蓄電池の制御等を示す図である。
【００５４】
経済性判定部３８は、需要家１０の経済的メリットについての各判定を行う。
【００５５】
＝蓄電池を充電することが設定されている時間帯＝
制御計画Ｔ３において充電と設定されている時間帯（「充電予定時間帯」とも称する）に、経済性判定部３８は、電力価格がＰＶ買取価格よりも高いか低いかを判定したり、ＰＶ買取価格が充電累積単価Ｘよりも高いか低いかを判定したりする。又、充電予定時間帯に、経済性判定部３８は、ＰＶ買取価格が充電累積単価Ｘと所定単価との合計よりも高いか低いかを判定する。
【００５６】
＝蓄電池を放電することが設定されている時間帯＝
制御計画Ｔ３において放電と設定されている時間帯（「放電予定時間帯」とも称する）に、経済性判定部３８は、ＰＶ買取価格が電力価格よりも高いか低いかを判定したり、ＰＶ買取価格が充電累積単価Ｘよりも高いか低いかを判定したりする。又、放電予定時間帯に、経済性判定部３８は、ＰＶ買取価格に応じた価格が充電累積単価Ｘよりも高いか低いかを判定する。尚、ＰＶ買取価格に応じて価格は、式（４）に基づいて経済性判定部３８によって算出されることとする。
【００５７】
［数３］
ＰＶ買取価格に応じた価格＝（ＰＶ買取価格Ｂｔ／充電効率ｐ＊放電効率ｑ）＋所定価格・・・（４）
【００５８】
＝蓄電池を充放電しないことが設定されている時間帯＝
制御計画Ｔ３において停止と設定されている時間帯（「停止予定時間帯」とも称する）に、経済性判定部３８は、電力価格が充電累積単価Ｘよりも高いか低いかを判定したり、電力価格に応じた価格が充電累積単価Ｘよりも高いか低いかを判定したり、電力価格が充電累積単価Ｘと所定単価との合計よりも高いか低いかを判定したりする。
【００５９】
尚、電力価格に応じた価格は、式（５）に基づいて経済性判定部３８によって算出されることとする。
【００６０】
［数４］
電力価格に応じた価格＝電力価格Ａｔ／（充電効率ｐ＊放電効率ｑ）＋所定価格・・・（５）
【００６１】
制御部４０は、経済性判定部３８の判定結果に基づいて、蓄電池１２の充放電を制御する。尚、式（４）、（５）夫々の所定単価と、ステップＳ２５での充電累積単価Ｘと所定単価との合計における所定単価と、ステップＳ３４での充電累積単価Ｘと所定単価との合計における所定単価は、０又は正の値であり、互いに異なる値であっても同じ値であってよいし、入力装置３５を介して入力される情報に基づいて設定されることとしてもよい。又、これらの所定単価は、経済性判定部３８による判定のマージンとしての機能を発揮する。
【００６２】
＝＝＝充放電制御装置の動作＝＝＝
以下、図１、図１０及び図１１を参照して、本実施形態における充放電制御装置の動作について説明する。図１１は、本実施形態における充放電制御装置の動作を示すフローチャートである。
【００６３】
充放電制御装置３は、前日最終の充電累積単価Ｘ、放電可能電力量Ｓ及び制御計画Ｔ３を読み込む（ステップＳ２１）。尚、これらの読み込まれる情報は、記憶装置３３に記憶されていることとしてもよい。
【００６４】
充放電制御装置３は、現在の時間帯が充電予定時間帯、放電予定時間帯、停止予定時間帯のうちの何れの時間帯であるかを判断する（ステップＳ２２）。例えば、現在の時間帯が時間帯Ｂ２、Ｂ７、Ｂ１０（図７）の場合夫々、充放電制御装置３は、停止予定時間帯、放電予定時間帯、充電予定時間帯であると判断する。
【００６５】
＝充電予定時間帯の制御＝
ステップＳ２２において充電予定時間帯であると判断された場合、余剰判定部３７は、分散型電源Ｇ１の発電量が負荷Ｒ１の消費電力量よりも多いか少ないかを判定する（ステップＳ３１）。発電量が消費電力量よりも少ないと余剰判定部３７が判定した場合（ステップＳ３１のＮＯ）、制御部４０は、契約電力範囲内で蓄電池１２が充電されるように制御する（ステップＳ３５）。一方、発電量が消費電力量よりも多いと余剰判定部３７が判定した場合（ステップＳ３１のＹＥＳ）、ＰＶ余剰電力が発生しているものとして、以下の判定及び制御が行われる。
【００６６】
＜電力価格、ＰＶ買取価格＞
経済性判定部３８は、電力価格がＰＶ買取価格よりも高いか低いかを判定する（ステップＳ３２）。電力価格がＰＶ買取価格よりも高いと経済性判定部３８が判定した場合（ステップＳ３２のＹＥＳ）、蓄電池１２が充電されることに基づく需要家１０の経済的メリットが発生することを経済性判定部３８が判定したことになる。この場合、制御部４０は、ステップＳ３５の動作を行う。この場合、ＰＶ余剰電力が蓄電池１２に供給されるので、買電電力の電力量が減少する。このために、需要家１０から電気事業者に支払われる対価の額が減少し、需要家１０の経済的メリットが発生する。
【００６７】
一方、電力価格がＰＶ買取価格よりも低いと判定した場合（ステップＳ３２のＮＯ）、経済性判定部３８は、ＰＶ買取価格が充電累積単価Ｘよりも高いか低いかを判定する（ステップＳ３３）。
【００６８】
＜ＰＶ買取価格、充電累積単価Ｘ＞
ＰＶ買取価格が充電累積単価Ｘよりも低いと判定した場合（ステップＳ３３のＹＥＳ）、蓄電池１２が充電されることに基づく需要家１０の経済的メリットが発生することを経済性判定部３８が判定したことになる。この場合、制御部４０は、ステップＳ３５の動作を行う。この場合、ステップＳ３２がＹＥＳの場合と同様な経済的メリット発生する。更に、この場合、充電累積単価Ｘの額が減少し、需要家１０の経済的メリットが発生する。
【００６９】
一方、ＰＶ買取価格が充電累積単価Ｘよりも高いと判定した場合（ステップＳ３３のＮＯ）、経済性判定部３８は、ＰＶ買取価格が充電累積単価Ｘと所定単価との合計よりも高いか低いかを判定する（ステップＳ３４）。
【００７０】
＜ＰＶ買取価格、充電累積単価Ｘと所定単価との合計＞
ＰＶ買取価格が充電累積単価Ｘと所定単価との合計よりも高いと判定した場合（ステップＳ３４のＹＥＳ）、蓄電池１２が充放電されないことに基づく需要家１０の経済的メリットが発生することを経済性判定部３８が判定したことになる。この場合、制御部４０は、蓄電池１２が充放電されないように制御する（ステップＳ２６）。この場合、蓄電池１２に対してＰＶ余剰電力が供給されないので、需要家１０から電気事業者に対して売却されるＰＶ余剰電力の電力量を増大させることができる。このために、電気事業者から需要家１０に支払われる対価の額が増大し、需要家１０の経済的メリットが発生する。
【００７１】
一方、ＰＶ買取価格が充電累積単価Ｘと所定単価との合計よりも低いと判定した場合（ステップＳ３４のＮＯ）、蓄電池１２が充放電されないことに基づく需要家１０の経済的メリットが発生しないことを経済性判定部３８が判定したことになる。この場合、制御部４０は、ステップＳ３５の動作を行う。
【００７２】
これらの後、充放電制御装置３は、充電電力量Ｗｔを積算し（ステップＳ３６）、放電可能量Ｓを計算し（ステップＳ３７）、充電累積単価Ｘを計算する（ステップＳ３８）。尚、ステップＳ３７においては、充放電制御装置３は、ステップＳ３６で積算された充電電力量Ｗｔと充電効率ｐと放電効率ｑとの積と、ステップＳ３５において充電される前の放電可能電力量Ｓとの合計を放電可能電力量Ｓとする。
【００７３】
充放電制御装置３は、充電計画Ｔ３の全ての時間帯において制御が行われたか否かを判断する（ステップＳ５８）。つまり、充放電制御装置３は、１日における蓄電池１２の制御が全て行われたか否かを判断する。１日における蓄電池１２の制御が全て行われたと判断した場合（ステップＳ５８のＹＥＳ）、充放電制御装置３は、動作を終了する。一方、１日における蓄電池１２の制御が全て行われたと判断しない場合（ステップＳ５８のＮＯ）、充放電制御装置３は、ステップＳ２２の判断を再度行う。
【００７４】
＝放電予定時間帯の制御＝
ステップＳ２２において放電予定時間帯であると判断された場合、余剰判定部３７は、ステップＳ４１の判断を行う。尚、ステップＳ４１の判定は、ステップＳ３１の判定と同様である。発電量が消費電力量よりも少ないと余剰判定部３７が判定した場合（ステップＳ４１のＮＯ）、制御部４０は、逆潮しない範囲で蓄電池１２が放電されるように制御する（ステップＳ５５）。尚、逆潮しない範囲とは、例えば、需要家１０において予め設定されている電力量の範囲内であることを示していることとしてもよい。この後、充放電制御装置３は、放電電力量Ｐｔを積算し（ステップＳ５６）、放電可能電力量Ｓを計算（ステップＳ５７）した後、ステップＳ５８の判断を行う。尚、ステップＳ５７においては、充放電制御装置３は、ステップＳ５５で放電される前の放電可能電力量Ｓに対するステップＳ５６で積算された放電電力量Ｐｔの差分を放電可能電力量Ｓとする。
【００７５】
ステップＳ４１において、発電量が消費電力量よりも多いと余剰判定部３７が判定した場合（ステップＳ４１のＹＥＳ）、ＰＶ余剰電力が発生しているものとして、以下の判定及び制御が行われる。
【００７６】
＜ＰＶ買取価格、電力価格＞
経済性判定部３８は、ＰＶ買取価格が電力価格よりも高いか低いかを判定する（ステップＳ４２）。ＰＶ買取価格が電力価格よりも高いと判定した場合（ステップＳ４２のＮＯ）、蓄電池１２の充放電が停止されることに基づく需要家１０の経済的メリットが発生することを経済性判定部３８が判定したことになる。この場合、制御部４０は、ステップＳ２６の動作を行う。この場合、需要家１０がダブル発電状態となるのを防止しつつ、ＰＶ余剰電力を需要家１０が電気事業者に売却することができる。このために、電気事業者から需要家１０に対して対価が支払われることになり、需要家１０の経済的メリットが発生する。
【００７７】
尚、ダブル発電状態とは、ＰＶ余剰電力と蓄電池１２の放電により出力される電力の双方が配電線Ｌ１に対して供給される状態である。ダブル発電状態となったときにＰＶ買取価格の額が低下するように、需要家１０と電気事業者との間の電気契約により定められているために、需要家１０の経済的メリットを発生させて増大させるために、ダブル発電状態となるのを防止する必要がある。
【００７８】
ステップＳ４２において、ＰＶ買取価格が電力価格よりも低いと判定した場合（ステップＳ４２のＹＥＳ）、経済性判定部３８は、ＰＶ買取価格が充電累積単価Ｘよりも高いか低いかを判定する（ステップＳ４３）。
【００７９】
＜ＰＶ買取価格、充電累積単価Ｘ＞
ＰＶ買取価格が充電累積単価Ｘよりも高いと判定した場合（ステップＳ４３のＮＯ）、蓄電池１２の充放電が停止されることに基づく需要家１０の経済的メリットが発生することを経済性判定部３８が判定したことになる。この場合、制御部４０は、ステップＳ２６の動作を行う。この場合、ステップＳ４２のＮＯが場合と同様な経済的メリットが発生する。
【００８０】
ステップＳ４３において、ＰＶ買取価格が充電累積単価Ｘよりも低いと判定した場合（ステップＳ４３のＹＥＳ）、ＰＶ買取価格に応じた価格が充電累積単価Ｘよりも高いか低いかを判定する（ステップＳ４４）。
【００８１】
＜ＰＶ買取価格に応じた価格、充電累積単価Ｘ＞
ＰＶ買取価格に応じた価格が充電累積単価Ｘよりも低いと判定した場合（ステップＳ４４のＹＥＳ）、蓄電池１２が充電されることに基づく需要家１０の経済的メリットが発生することを経済性判定部３８が判定したことになる。この場合、制御部４０は、ＰＶ余剰電力が蓄電池１２に充電されるように制御する（ステップＳ４５）。この場合、ステップＳ３３がＹＥＳの場合と同様な経済的メリットが発生することになる。更に、需要家１０がダブル発電状態となるのが防止される。  これらの後、充放電制御装置３は、ステップＳ４６乃至Ｓ４８の動作を行った後、ステップＳ５８の判断を行う。尚、ステップＳ４６乃至Ｓ４８の動作は夫々、ステップＳ３６乃至Ｓ３８の動作と同様である。
【００８２】
一方、ＰＶ買取価格に応じた価格が充電累積単価Ｘよりも高いと判定した場合（ステップＳ４４のＮＯ）、蓄電池１２が充電されることに基づく需要家１０の経済的メリットが発生しないことを経済性判定部３８が判定したことになる。この場合、制御部４０は、ステップＳ２６の動作を行う。
【００８３】
＝停止予定時間帯の制御＝
ステップＳ２２において停止予定時間帯であると判断された場合、経済性判定部３８は、電力価格が充電累積単価Ｘよりも高いか低いかを判定する（ステップＳ２３）。充放電制御装置３は、ステップＳ２３の判定結果に基づいてステップＳ２４、２５の判定を行った後、所定の制御を行う。
【００８４】
[第２実施形態]
第２実施形態における充放電制御装置３Ｂ（図３）は、第１実施形態の充放電制御装置３における経済性判定部３８以外の構成を有し、計画部３６、制御部４０を夫々、計画部３６Ｂ、制御部４０Ｂに変更したものである。充放電制御装置３Ｂのこれらの構成以外は充放電制御装置３の構成と同様である。
【００８５】
＝＝＝充放電制御装置＝＝＝
以下、図３、図１２及び図１３を参照して、本実施形態における充放電制御装置について説明する。図１２は、本実施形態における第４価格情報を示すグラフである。図１３は、本実施形態における充放電制御装置の動作を示すフローチャートである。尚、図１１と同様な動作には、同様な符号を付しその説明については省略する。
【００８６】
第４価格情報Ｔ４は、第１価格情報Ｔ１（図４）と同様な情報である。尚、第４価格情報Ｔ４のＰＶ買取価格は、固定単価に基づいて定められている。固定単価とは、各時間帯において単価が変動しないことである。又、第４価格情報Ｔ４のＰＶ買取価格は、電力価格よりも高く設定されている。
【００８７】
充放電制御装置３Ｂは、計画部３６Ｂ、制御部４０Ｂを有する。
【００８８】
計画部３６Ｂは、第４価格情報Ｔ４に基づいて所定の制御計画を作成する。尚、計画部３６Ｂが所定の制御計画を作成する構成は、計画部３６が制御計画Ｔ３を作成する構成と同様である。
【００８９】
制御部４０Ｂは、余剰判定部３７の判定結果に基づいて蓄電池１２の充放電を制御する。
【００９０】
具体的には、余剰判定部３７は、ステップＳ６１、Ｓ６２（図１３）において、ステップＳ３１、４１（図１１）と同様な判定を行う。発電量が消費電力量よりも少ないと余剰判定部３７が判定した場合（ステップＳ６１のＮＯ、ステップＳ６２のＮＯ）、制御部４０Ｂは、ステップＳ３５、Ｓ５５の動作を行う。一方、発電量が消費電力量よりも多いと余剰判定部３７が判定した場合（ステップＳ６１のＹＥＳ、ステップＳ６２のＹＥＳ）、制御部４０Ｂは、ＰＶ余剰電力が発生しているものとして、蓄電池１２が充放電されないように制御する（ステップＳ２６）。尚、ステップＳ６１がＹＥＳの場合、ステップＳ３４がＹＥＳの場合と同様な経済的メリットが発生する。又、ステップＳ６２がＹＥＳの場合、ステップＳ４２がＮＯの場合と同様な経済的メリットが発生する。
【００９１】
前述したように、充放電制御装置３は、需要家１０における蓄電池１２の充放電を制御する。充放電制御装置３は、負荷Ｒ１と、負荷Ｒ１に電力を供給する分散型電源Ｇ１と、負荷Ｒ１及び分散型電源Ｇ１に接続される蓄電池１２とを有する。充放電制御装置３は、余剰判定部３７、制御部４０を有する。余剰判定部３７は、分散型電源Ｇ１の発電量が負荷Ｒ１の消費電力量よりも多いか否かを判定する。制御部４０は、分散型電源Ｇ１の発電量が負荷Ｒ１の消費電力量よりも多いと余剰判定部３７が判定した場合、蓄電池１２の制御に基づく需要家１０の経済的メリット（経済的利益）が発生するように、蓄電池１２の充放電を制御する。従って、需要家１０の経済的メリットが発生するように、蓄電池１２の充放電を制御することができる。
【００９２】
又、充放電制御装置３は、経済性判定部３８を有する。蓄電池１２の制御は、制御計画Ｔ３により予め計画されている。経済性判定部３８は、蓄電池１２を放電することが制御計画Ｔ３によって計画されているときに、ＰＶ余剰電力のＰＶ買取価格（売電価格）が需要家１０に供給される買電電力（供給電力）の電力価格（買電価格）よりも高いか低いかを判定する。ＰＶ買取価格が電力価格よりも高いと経済性判定部３８が判定した場合、制御部４０は、制御計画Ｔ３に関わらず蓄電池１２が充放電されないように制御する。従って、需要家１０がダブル発電状態となるのを防止しつつ、ＰＶ余剰電力を需要家１０が電気事業者に売却することができる。このために、電気事業者から需要家１０に対して対価が支払われることになり、需要家１０の経済的メリットが発生する。
【００９３】
又、ＰＶ買取価格が電力価格よりも低いと経済性判定部３８が判定した場合、経済性判定部３８は、ＰＶ買取価格が充電累積単価Ｘよりも高いか低いかを判定する。ＰＶ買取価格が充電累積単価Ｘよりも高いと経済性判定部３８が判定した場合、制御部４０は、制御計画Ｔ３に関わらず蓄電池１２が充放電されないように制御する。従って、需要家１０がダブル発電状態となるのを防止しつつ、ＰＶ余剰電力を需要家１０が電気事業者に売却することにより、需要家１０の経済的メリットが発生する。
【００９４】
又、経済性判定部３８は、蓄電池１２を充電することが制御計画Ｔ３によって計画されているときに、需要家１０に供給される買電電力の電力価格がＰＶ余剰電力のＰＶ買取価格よりも高い低いかを判定する。電力価格がＰＶ買取価格よりも高いと経済性判定部３８が判定した場合、制御部４０は、制御計画Ｔ３に基づいて蓄電池１２が充電されるように制御する。従って、ＰＶ余剰電力が蓄電池１２に供給されるので、買電電力の電力量が減少する。このために、需要家１０から電気事業者に支払われる対価の額が減少し、需要家１０の経済的メリットが発生する。
【００９５】
又、電力価格がＰＶ買取価格よりも低いと経済性判定部３８が判定した場合、経済性判定部３８は、ＰＶ買取価格が充電累積単価Ｘよりも高いか低いかを判定する。ＰＶ買取価格が充電累積単価Ｘよりも低いと判定した場合、制御部４０は、制御計画Ｔ３に基づいて蓄電池１２が充電されるように制御する。従って、充電累積単価Ｘの額が減少し、需要家１０の経済的メリットが発生する。
【００９６】
又、経済性判定部３８は、蓄電池１２を放電することが制御計画Ｔ３によって計画されているときに、蓄電池１２が充電されることに基づく需要家１０の経済的メリットが発生するか否かを判定する。需要家１０の経済的メリットが発生すると経済性判定部３８が判定した場合、制御部４０は、制御計画Ｔ３に関わらず蓄電池１２が充電されるように制御する。この場合、需要家１０がダブル発電状態となるのを防止しつつ、充電累積単価Ｘの額を減少させて、需要家１０の経済的メリットが発生する。一方、需要家１０の経済的メリットが発生しないと経済性判定部３８が判定した場合、制御部４０は、制御計画Ｔ３に関わらず蓄電池１２が充放電されないように制御する。この場合、需要家１０がダブル発電状態となるのが防止することができる。
【００９７】
又、ＰＶ買取価格に応じた価格が充電累積単価Ｘよりも低いと経済性判定部３８が判定した場合、蓄電池１２が充電されることに基づく需要家１０の経済的メリットが発生することを経済性判定部３８が判定したことになる。ＰＶ買取価格に応じた価格が充電累積単価Ｘよりも高いと経済性判定部３８が判定した場合、蓄電池１２が充電されることに基づく需要家１０の経済的メリットが発生しないことを経済性判定部３８が判定したことになる。従って、経済的メリットが発生するか否かの判定精度を向上させることができる。
【００９８】
又、経済性判定部３８は、蓄電池１２を充電することが制御計画Ｔ３によって計画されているときに、蓄電池１２が充放電されないことに基づく需要家１０の経済的メリットが発生するか否かを判定する。需要家１０の経済的メリットが発生すると経済性判定部３８が判定した場合、制御部４０は、制御計画Ｔ３に関わらず蓄電池１２が充放電されないように制御する。従って、蓄電池１２に対してＰＶ余剰電力が供給されないので、需要家１０から電気事業者に対して売却されるＰＶ余剰電力の電力量を増大させることができる。このために、電気事業者から需要家１０に支払われる対価の額が増大し、需要家１０の経済的メリットが発生する。需要家１０の経済的メリットが発生しないと経済性判定部３８が判定した場合、制御部４０は、制御計画Ｔ３に基づいて蓄電池１２が充電されるように制御する。この場合、ＰＶ余剰電力が蓄電池１２に供給されるので、買電電力の電力量を減少させることができる。
【００９９】
又、ＰＶ買取価格が充電累積単価Ｘと所定単価との合計よりも高いと経済性判定部３８が判定した場合、蓄電池１２が充放電されないことに基づく需要家１０の経済的メリットが発生することを経済性判定部３８が判定したことになる。ＰＶ買取価格が充電累積単価Ｘと所定単価との合計よりも低いと経済性判定部３８が判定した場合、蓄電池１２が充放電されないことに基づく需要家１０の経済的メリットが発生しないことを経済性判定部３８が判定したことになる。従って、経済的メリットが発生するか否かの判定精度を向上させることができる。
【０１００】
尚、第１及び第２実施形態は、本発明の理解を容易にするためのものであり、本発明を限定して解釈するためのものではない。本発明は、その趣旨を逸脱することなく、変更、改良され得るとともに、本発明にはその等価物も含まれる。
【０１０１】
第１実施形態においては、ステップＳ３１がＹＥＳの場合、ステップＳ３２乃至Ｓ３４の判断及びこれらの判断結果に基づく制御が行われることについて説明したが、これに限定されるものではない。例えば、ステップＳ３１がＹＥＳの後の判断として、ステップＳ３２乃至Ｓ３４のうちの少なくとも１つの判断及び制御がされることしてもよい。つまり、例えば、ステップＳ３２乃至Ｓ３４のうちの何れか１つのみが設けられていることとしてもよいし、ステップＳ３２、Ｓ３３のみ、又は、ステップＳ３３、Ｓ３４のみ、又は、ステップＳ３２、Ｓ３４のみが設けられていることとしてもよい。又、例えば、ステップＳ４１がＹＥＳの場合も、同様にして、テップＳ４２乃至Ｓ４４のうちの少なくとも１つの判断及び制御がされることしてもよい。
【０１０２】
又、第１実施形態においては、分散型電源Ｇ１が太陽光発電装置であることについて説明したが、これに限定されるものではない。例えば、分散型電源Ｇ１が風力発電装置であることとしてもよい。
【０１０３】
又、第１実施形態においては、制御計画Ｔ３が計画部３６によって作成されることについて説明したが、これに限定されるものではない。例えば、制御計画Ｔ３は予め定められていることとしてもよいし、制御計画Ｔ３を示す情報が入力装置３５を介して入力されることとしてもよい。
【０１０４】
又、第１実施形態においては、第１価格情報Ｔ１が１時間毎の電力価格等を示していることについて説明したが、これに限定されるものではない。例えば、第１価格情報Ｔ１が３０分等毎の電力価格等を示していることとしてもよい。
【０１０５】
又、第１実施形態においては、第１価格情報Ｔ１において、売電電力の価格と買電電力の価格とが同価格であることについて説明したが、これに限定されるものではない。例えば、同じ時間帯における売電電力の価格と買電電力の価格とが相互に異なることとしてもよい。
【０１０６】
又、充放電制御装置３の構成と同様な構成を有する他の充放電制御装置を用いて、例えば、配電線Ｌ１に接続されているフライホイール等の電力貯蔵装置と配電線Ｌ１との間の電力の授受を制御することとしてもよい
又、例えば、充放電装置１１が充放電制御装置３の機能を発揮することとしてもよいし、計測装置Ｍ１が充放電制御装置３の機能を発揮することとしてもよい。
【符号の説明】
【０１０７】
３、３Ｂ              充放電制御装置
１０                  需要家
１２                  蓄電池
３７                  余剰判定部
３８                  経済性判定部
４０、４０Ｂ          制御部
Ｇ１                  分散型電源
Ｒ１                  負荷
【要約】
電力負荷と、前記電力負荷に電力を供給する分散型電源と、前記電力負荷及び前記分散型電源に接続される蓄電池と、を有する需要家における前記蓄電池の充放電を制御する充放電制御装置であって、前記分散型電源の発電量が前記電力負荷の消費電力量よりも多いか否かを判定する第１判定装置と、前記発電量が前記消費電力量よりも多いと前記第１判定装置が判定した場合、前記蓄電池の制御に基づく前記需要家の経済的利益が発生するように、前記蓄電池の充放電を制御する第１制御装置と、を備える。【図１】
0005654179.tif 000002
【図２】
0005654179.tif 000003
【図３】
0005654179.tif 000004
【図４】
0005654179.tif 000005
【図５】
0005654179.tif 000006
【図６】
0005654179.tif 000007
【図７】
0005654179.tif 000008
【図８】
0005654179.tif 000009
【図９】
0005654179.tif 000010
【図１０】
0005654179.tif 000011
【図１１】
0005654179.tif 000012
【図１２】
0005654179.tif 000013
【図１３】
0005654179.tif 000014